(57)【要約】【課題】炉心監視装置のユーザの負担を軽減する。【解決手段】原子炉の炉心状態を示す情報を収集するプロセス計算機１と情報バス２を介して接続され、炉心状態を監視する炉心監視装置１０に、情報バス２を介してプロセス計算機１からヒートバランスデータを受け取るヒートバランスデータ入力部３と、ヒートバランスデータ入力部３に接続され、炉心性能計算を行う炉心性能計算部４と、炉心性能計算部４に接続された入出力処理部５と、入出力処理部５に接続され、情報を表示する表示手段７と、入出力処理部に接続され、炉心性能計算の入力パラメータが入力される入力手段６と、入力パラメータを記憶する入力パラメータ記憶部９と、を備える。【選択図】図１
2008026151.tif 000002
【特許請求の範囲】
【請求項１】
原子炉の炉心状態を示す情報を収集するプロセス計算機と情報バスを介して接続され、炉心状態を監視する炉心監視装置において、前記情報バスを介して前記プロセス計算機からヒートバランスデータを受け取るヒートバランスデータ入力部と、前記ヒートバランスデータ入力部に接続され、炉心性能計算を行う炉心性能計算部と、前記炉心性能計算部に接続された入出力処理部と、前記入出力処理部に接続され、情報を表示する表示手段と、前記入出力処理部に接続され、前記炉心性能計算の入力パラメータが入力される入力手段と、前記入力パラメータを記憶する入力パラメータ記憶部と、を有することを特徴とする炉心監視装置。
【請求項２】
前記入力手段は、さらに、出力形式の指示が入力されるものであって、炉心性能計算部から伝達された計算結果を前記出力形式の指示に基づいて出力形式を変換する計算結果出力部と、前記計算結果出力部で出力形式を変換された計算結果を保存する第１の記憶手段と、を有し、前記入出力処理部は、前記計算結果出力部を介して前記炉心性能計算部に接続されていることを特徴とする請求項１記載の炉心監視装置。
【請求項３】
前記入力パラメータを記憶する第２の記憶手段と、前記入力パラメータ記憶部から伝達された前記入力パラメータを条件チェックして前記第２の記憶手段に伝達し、前記第２の記憶手段に保存された前記入力パラメータを条件チェックして取り出す入力パラメータ外部入出力部と、を有することを特徴とする請求項１記載の炉心監視装置。
【請求項４】
前記入力パラメータは少なくとも前記炉心の一部の制御棒位置情報を含むものであり、前記入力手段は、さらに、炉心内での制御棒の対称性の指定を入力されるものであって、前記入出力処理部に接続され、前記対称性の指定に基づいて前記制御棒位置情報を前記炉心の全体に展開する制御棒位置展開部を有することを特徴とする請求項１ないし請求項３のいずれか１項記載の炉心監視装置。
【請求項５】
前記入力パラメータは複数であって、それぞれの前記入力パラメータの意味および入力可能範囲を前記入出力部が前記表示手段に表示させるようにする入力パラメータ入力補助部を有することを特徴とする請求項１ないし請求項４のいずれか１項記載の炉心監視装置。
【請求項６】
前記炉心性能計算部は複数の種類の前記炉心性能計算を行うものであって、前記炉心性能計算のそれぞれの種類の説明を前記入出力部が前記表示手段に表示させるようにするデータ出力補助部を有することを特徴とする請求項１ないし請求項５のいずれか１項記載の炉心監視装置。
【請求項７】
原子炉の炉心状態を監視する炉心監視装置において、原子炉の炉心状態を示す情報を収集するプロセス計算機から出力されるヒートバランスデータを情報バスを介して受け取る工程と、入力パラメータを入力する工程と、前記入力パラメータを記憶する工程と、前記入力パラメータおよび前記ヒートバランスデータに基づいて炉心性能計算を行う工程と、前記炉心性能計算の結果を表示する工程と、を有することを特徴とする炉心監視方法。
【発明の詳細な説明】
【技術分野】
【０００１】
本発明は、原子炉の炉心を監視する炉心監視装置および炉心監視方法に関する。
【背景技術】
【０００２】
沸騰水型原子力発電プラント（ＢＷＲプラント）の炉心監視装置は、炉心の健全性を監視するために用いられる。一般的な炉心監視装置は、炉心性能計算結果に基づく炉心運転管理のためのデータを画面や帳票に出力するための多種多様な機能を備えると共に、プラントの出力上昇計画を立案するような炉心解析作業で用いる炉心性能予測機能を備えている（たとえば特許文献１参照）。
【０００３】
炉心監視装置は、プロセス計算機から情報バスを介してヒートバランスデータ入力部でヒートバランスデータを入力して、炉心性能計算部でその時点での炉心の健全性を監視するための炉心性能計算処理を実施する。計算結果は、入出力処理部で画面表示用またはログ印字用に処理され、表示手段へ表示、または、印字手段で印字される。
【０００４】
また、ユーザは炉心解析作業を行う場合、表示処理部に表示される対話画面を見ながら入力手段を使用して、予測計算の機能の選択と入力パラメータの入力を行い、炉心予測計算を要求する。要求された機能種別と入力パラメータは、入出力処理部から炉心性能計算部へ入力され、炉心性能計算部は、要求された機能種別に対応した炉心性能計算を、入力パラメータに基づき実施する。その計算結果は、入出力処理部で画面表示用またはログ印字用に処理され、表示手段へ表示、または、印字手段で印字される。
【０００５】
ユーザは、表示処理部上のメインメニュー画面から入力手段を使用して、使用する機能の入力パラメータ設定画面を表示させる。要求受付処理は、ユーザが入力手段を使用して入力する情報を受け付け、画面表示処理に対して、画面表示情報を入力する。画面表示処理は、入力された画面表示情報に基づき表示処理部に画面表示を行う。
【０００６】
このように、ユーザによる入力パラメータの設定は、入力処理部、要求受付処理、画面表示処理、表示処理部それぞれの処理が連携することで行われる。
【０００７】
ユーザは、入力パラメータの設定が終わると、入力手段から計算実行要求を行う。要求受付処理は、炉心性能計算の計算実行要求を受け付け、要求された機能種別と入力パラメータを炉心性能計算部に入力する。炉心性能計算部は、要求された機能種別に対応した炉心性能計算を、入力パラメータに基づき実施する。画面表示処理は、炉心性能計算部から計算結果データを入力して画面表示情報に処理し、表示手段へ表示する。また、ログ印字処理は、炉心性能計算部から計算結果データを入力して印字データに編集し、印字手段で印字する。
【０００８】
ヒートバランスデータ入力部はプロセス計算機からのヒートバランスデータを入力すると、妥当性確認、単位変換、および積算値の補正を行い、炉心計算部にヒートバランスデータとしてデータを格納する。
【０００９】
ここで、ヒートバランスデータは、ヒートバランスデータ時刻、プラント入力データとしてのプロセス値（熱水力データ、制御棒位置、局部出力領域モニター（ＬＰＲＭ）値）、および、ヒートバランス計算の結果から構成され、移動式炉内核計装（ＴＩＰ）スキャン時にはＴＩＰデータも格納される。
【００１０】
炉心性能計算処理は、通常１時間に１回、ヒートバランスデータと保存ケースを用いて、その時点での炉心の健全性を監視するための炉心性能計算を実施する。炉心性能計算処理の計算結果は、保存ケースに格納されると共に、入出力処理部に入力される。
【００１１】
また、ユーザが炉心予測計算を行う場合は、ユーザからの炉心性能計算要求を入出力処理部から入力し、入力された機能種別、および入力パラメータに基づき炉心性能計算処理を実施する。
【特許文献１】特開平１１−３５２２７８号公報
【発明の開示】
【発明が解決しようとする課題】
【００１２】
炉心解析作業を行う場合、最適な解析結果を得るために入力パラメータを微妙に調整して、炉心性能予測計算処理を何回も繰り返し要求する必要がある。また、臨界付近の領域の解析では冷温時予測計算、サイクル燃焼度の解析では目標出力分布計算、そして、一般のプラント起動解析では汎用予測計算と言うように炉心解析の内容に応じてさまざまな機能を使用する必要があり、それぞれの機能ごとに設定する入力パラメータは異なっている。
【００１３】
炉心監視装置の機能としては、現状監視計算機能として出力分布計算、日報計算、月報計算、同位体重量計算、予測計算機能として汎用予測計算、低温時予測計算、目標分布計算、作表機能として運転実績表示、炉心サマリ表示、評価機能としてヒートバランス評価、ＴＩＰデータ評価、ＬＰＲＭデータ評価など、１００種類以上にも渡る機能がある。
【００１４】
また、入力パラメータとしては、たとえば汎用予測計算では、リスタートファイル、ブレークポイント番号、ケース時刻、臨界サーチ因子、発電機出力、炉心流量、ゼノン計算方法、制御棒パターンなど、予測点１つに対して２００点以上の入力パラメータがあり、更に１回の炉心性能計算で何十点にもおよぶ予測点を入力する必要がある。
【００１５】
しかしながら、従来の炉心監視装置では、入力パラメータを全て入力してから炉心性能計算を要求するという一連の操作しかできないため、何回も繰り返して炉心性能計算を要求する場合、入力パラメータをその都度全て入力し直す必要があった。そのため、入力パラメータを１項目だけ変更し、且つ微妙に調整しながら繰り返し炉心性能計算を要求するような場合には、非常に操作性が悪く、調整項目では無いパラメータを誤入力して得たい結果を得る事が出来ないという課題があった。
【００１６】
炉心運転管理のためのデータである計算結果はデータの漏洩や改竄を防止するため専用のソフトウェアでしか読み書きできない独自のファイル形式で保存されている。
【００１７】
しかしながら、従来の炉心監視装置では、そのデータを画面に表示するか、または、決まった形式で帳票に印刷することしかできなかった。そのため、出力されたデータを地方自治体や国、国際機関などそれぞれの提出先に合わせた所定の形式に加工するためには、ユーザが帳票印刷されたデータを手で書き写したり、事務所でパソコンに手入力したりしており、加工作業に過大な手間を要し、また、データの写し間違いをする恐れがあるという課題があった。
【００１８】
また、プラント起動解析は、燃料メーカーや炉心管理部門において事前に予測計算が行われ、その計算結果は、通常、何十点にもおよぶ予測点で構成されており、起動計画書など書類の形でプラントの技術者や運転員に提供される。実際のプラント起動時には事前に予測計算された計算結果に基づき出力上昇を行うが、炉心性能計算の精度などにより起動計画からのズレが生じることがあるため、現場の炉心監視装置を使用して、事前に行われた予測計算をトレースしたプラント起動解析の再計算を行う必要がある。
【００１９】
しかし、従来の炉心監視装置では、炉心性能計算の入力パラメータを入出力装置から手入力することしかできないので、燃料メーカーや炉心管理部門において事前に予測計算が行われたときと同じ何十点にもおよぶ予測点の入力パラメータを入力するために、過大な手間を要し、また入力パラメータを誤入力し期待する起動計画が得られないことがあり、プラント起動の遅れを招く恐れがあるという課題があった。
【００２０】
また、従来の炉心監視システムでは、入力パラメータのうち制御棒位置設定において、制御棒１本毎に制御棒位置を設定するか、全制御棒について一度に同じ値を設定するかのどちらかしか行えず、実際のプラント起動に合わせた制御棒パターンを何十パターンも入力するには非常に時間が掛かり、また、入力間違いし易いという課題があった。
【００２１】
プラント起動解析で使用する汎用予測計算の入力パラメータとしては、リスタートファイルの指定、固有値の補正有無、ケース時刻の指定などがあるが、それらの入力パラメータの意味を理解し、設定する値や設定方法を決定するには、炉心監視装置に精通していると共に、炉心解析を行うプラントやそのサイクルの炉心状態に関する知識や経験が必要である。
【００２２】
しかし、従来の炉心監視システムでは、入力パラメータの設定範囲、設定方法などについては、操作説明書等を見ながら決定するか、炉心監視装置に関する知識のある技術者が過去の経験に基づき決定していたため、経験の浅い技術者にとっては入力パラメータに設定する値や設定する方法が分からず、試行錯誤を繰り返し非効率的であるという課題があった。
【００２３】
また、従来の炉心監視システムでは、炉心運転管理のためのデータを画面や帳票に出力する場合、必要なデータを出力する機能名を元に操作説明書等を見ながら対話画面を操作するか、データ名しかわからず出力する機能がわからないときは手間をかけて操作説明書等を検索し、なおかつ炉心監視装置の操作に熟練した技術者に出力する機能を確認してからデータを出力していたため、経験の浅い技術者にとっては出力する機能が分からず、試行錯誤を繰り返し非効率的であるという課題があった。
【００２４】
そこで、本発明は、炉心監視装置のユーザの負担を軽減することを目的とする。
【課題を解決するための手段】
【００２５】
上記目的を達成するため、本発明は、原子炉の炉心状態を示す情報を収集するプロセス計算機と情報バスを介して接続され、炉心状態を監視する炉心監視装置において、前記情報バスを介して前記プロセス計算機からヒートバランスデータを受け取るヒートバランスデータ入力部と、前記ヒートバランスデータ入力部に接続され、炉心性能計算を行う炉心性能計算部と、前記炉心性能計算部に接続された入出力処理部と、前記入出力処理部に接続され、情報を表示する表示手段と、前記入出力処理部に接続され、前記炉心性能計算の入力パラメータが入力される入力手段と、前記入力パラメータを記憶する入力パラメータ記憶部と、を有することを特徴とする。
【００２６】
また、本発明は、原子炉の炉心状態を監視する炉心監視装置において、原子炉の炉心状態を示す情報を収集するプロセス計算機から出力されるヒートバランスデータを情報バスを介して受け取る工程と、入力パラメータを入力する工程と、前記入力パラメータを記憶する工程と、前記入力パラメータおよび前記ヒートバランスデータに基づいて炉心性能計算を行う工程と、前記炉心性能計算の結果を表示する工程と、を有することを特徴とする。
【発明の効果】
【００２７】
本発明によれば、炉心監視装置のユーザの負担が軽減される。
【発明を実施するための最良の形態】
【００２８】
本発明に係る炉心監視装置の実施形態を、図面を参照して説明する。なお、同一または類似の構成には同一の符号を付し、重複する説明は省略する。
【００２９】
［実施形態１］
図１は、本発明に係る実施形態１の炉心監視装置の構成図である。
【００３０】
本実施形態の炉心監視装置１０は、ヒートバランスデータ入力部３、炉心性能計算部４、入出力処理部５、入力手段６、表示手段７、印字手段８、および、入力パラメータ記憶部９から構成されている。ヒートバランスデータ入力部３は、情報バス２に接続されている。炉心性能計算部４はヒートバランス入力部３に接続されている。また、炉心性能計算部４は、入出力処理部５および入力パラメータ記憶部９に接続されている。入力手段６、表示手段７および印字手段８は、入出力処理部５に接続されている。入力パラメータ記憶部９は、入出力処理部５にも接続されている。
【００３１】
入力手段６は、たとえばキーボードとマウスの組み合わせである。表示手段７は、たとえば液晶ディスプレーである。印字手段８は、たとえばレーザープリンタである。炉心監視装置１０のその他の部分は、たとえば一台の計算機の本体内部に構築することもできる。
【００３２】
ヒートバランスデータ入力部３は、プロセス計算機１から情報バス２を介して原子炉のヒートバランスデータを受け取る。そのヒートバランスデータは、ヒートバランスデータ入力部３から炉心性能計算部４に伝達される。
【００３３】
炉心性能計算部４は、ヒートバランスデータ、ならびに、入力処理部５および入力パラメータ記憶部から伝達される情報に基づいて炉心性能計算を行う。
【００３４】
表示手段７には、入出力処理部５から伝達される情報が表示される。同様に入出力処理部５から伝達される情報が印字手段８に印字される。また、入力手段６から入力される情報は入出力処理部５に伝達される。
【００３５】
入力パラメータ記憶部９は、炉心性能計算に必要な入力パラメータの一部または全部を記憶する。
【００３６】
次に、この炉心監視装置１０の動作について説明する。
【００３７】
ユーザは、表示手段７に表示される入力パラメータ設定画面を見ながら、炉心性能計算の要求や、その要求のために必要な入力パラメータの入力を入力手段６によって行う。入力パラメータの設定が完了し、入力手段６によって計算実行を要求すると、入出力処理部５は、要求された機能種別と入力パラメータを入力パラメータ記憶部９に伝達する。入力パラメータ記憶部９は、入出力処理部５から計算実行要求が伝達されると、炉心性能計算部４へ炉心性能計算の計算要求を行うと共に、機能種別ごとに入力パラメータの記憶を行う。炉心性能計算部４は、入力パラメータに基づいて、入力パラメータ記憶部９から伝達された機能種別に対応した炉心性能計算を実行する。その計算結果は、入出力処理部５において適切な形式に変換され、表示手段７に表示されるか、印字手段８に帳票印刷される。
【００３８】
入力パラメータ記憶部９に記憶された入力パラメータは、ユーザが、入力手段６によって、表示手段７に表示されている対話画面上の前画面要求を実施することによって、取出される。入出力処理部５は、表示手段７に表示されている入力パラメータ設定画面の機能種別を入力パラメータ記憶部９に伝達する。入力パラメータ記憶部９は、１回前に炉心性能計算が行われたときの入力パラメータを取り出し、入出力処理部５に伝達する。入出力処理部５は、入力パラメータ記憶部９から伝達された１回前の入力パラメータを表示手段７の入力パラメータ設定画面上に表示する。更にもう一度、入力手段６によって、表示手段７に表示されている対話画面における前画面要求を実施すると、入力パラメータ記憶部９から、更にもう１回前に炉心性能計算が実施されたときの入力パラメータが取り出される。
【００３９】
図２は、入力パラメータ記憶部９におけるデータの流れを示す模式図である。また、図３は、入力パラメータ記憶部９の処理の流れ図である。図４は、表示手段７におけるパラメータ入力時の表示例である。
【００４０】
入出力処理部５から入力パラメータ記憶部９に伝達される要求は、炉心性能計算要求と前画面要求の２種類である。前画面の要求は、たとえば、図４に示すような入力パラメータ入力画面に表示された「前画面」要求ボタンをクリックすることによってなされる。なお、入力パラメータの入力等は、表示手段７に表示されたグラフィカルユーザーインターフェースを用いることもできるが、キャラクターベースのインターフェースなど、他の方法を用いてもよい。前画面の要求用に、入力手段６に特別なボタンを取り付けてもよい。
【００４１】
入力パラメータ記憶部９には、入出力処理部５から要求が入力される（工程Ｓ１１）。その後、要求判定処理部２１によって、要求内容が炉心性能計算要求か前画面要求が判定される（工程Ｓ１２）。
【００４２】
要求内容が炉心性能計算要求であれば、要求判定処理部２１は、入力パラメータ保存処理部２３に機能種別と入力パラメータを伝達する。入力パラメータ保存処理部２３は、機能種別に対応するＤＢ、すなわち、汎用予測計算機能であれば汎用予測用入力パラメータ記憶ＤＢ２５、冷温予測計算機能であれば冷温予測用入力パラメータ記憶ＤＢ２４の、最新の場所に入力パラメータを保存する（工程Ｓ１３）。要求判定処理部２１は、炉心性能計算部４に対して炉心性能計算の計算要求を行う。
【００４３】
要求内容が前画面要求であれば、要求判定処理部２１は、入力パラメータ取出処理部２３に機能種別を入力する。入力パラメータ取出処理部２３は、機能種別に対応するＤＢの最新の場所にある入力パラメータを取り出し（工程Ｓ１５）、取り出した入力パラメータを入出力処理部５に受け渡す（工程Ｓ１６）。
【００４４】
本実施の形態によれば、ユーザが、表示手段７に表示されている対話画面において前画面要求を行うことにより、現在使っている機能の、以前に炉心性能計算を要求したときの入力パラメータを入力パラメータ記憶部９から取り出し、その入力パラメータを表示手段７の入力パラメータ設定画面に反映することができる。
【００４５】
なお、複数の入力パラメータを記憶しておき、前画面要求を繰り返し行うことによって、順次遡って入力パラメータを呼び出すようにしてもよい。この際に、入力パラメータがどのような計算を行ったときのものかが容易に判別できるように、入力パラメータにタイトルを入力できるようにしたり、自動的にタイトルや計算の日時が入力されるようにしてもよい。
【００４６】
このように本実施形態では、入力パラメータ記憶部によりユーザが炉心性能計算を要求したときの入力パラメータを記憶し、前画面要求でその入力パラメータを取り出すことができることが可能となり、ユーザが入力パラメータを１項目だけ変更し、且つ微妙に調整しながら繰り返し炉心性能計算を要求するような場合にも、入力パラメータをその都度全て入力し直す必要が無くなる。
【００４７】
また、それぞれの機能ごとに設定する入力パラメータを記憶しているので、炉心解析の内容に応じてさまざまな機能を使用する場合でも、使用する機能を変えたからと言って、入力パラメータをその都度全て入力し直す必要が無くなる。
【００４８】
これにより、炉心監視装置のユーザの負担が軽減され、さまざまな機能に対応した入力パラメータをサポートしつつ、炉心解析作業における入力作業の操作性を向上させることができる。
【００４９】
［実施形態２］
図５は、本発明に係る実施形態２の炉心監視装置の構成図である。
【００５０】
本実施形態は、実施形態１の炉心監視装置に加え、炉心性能計算部４から入力した計算結果データをユーザが指定する出力形式に変換して、外部記憶手段１２に出力する「計算結果出力部１１を有している。また、炉心性能計算部４は、計算結果データを計算結果出力部１１に出力するように処理が変更されていて、入出力処理部５は、計算結果データを計算結果出力部１１から入力する様に処理が変更されている。
【００５１】
ユーザは、表示手段７の入力パラメータ設定画面を見ながら、入力手段６を使用して、炉心性能計算の要求と、その計算結果データの出力機器と出力形式の指定を行う。入出力処理部５は、入力パラメータ記憶部９を介して、炉心性能計算部４への計算要求を行うと共に、計算結果出力部１１に対して、計算結果データの出力機器と出力形式を入力する。
【００５２】
ここで、出力機器の指定とは、表示と印刷とカンマ区切り形式（ＣＳＶ）保存の３種類である。出力機器が表示であれば、計算結果出力部１１は計算結果データを入出力処理部５に出力し、画面表示用にデータが処理され、表示手段７に計算結果が表示される。出力機器が印刷であれば、計算結果出力部１１は、計算結果データを入出力処理部５に出力し、ログ印字用にデータ処理され、印字手段５に計算結果が印字される。そして、出力機器がＣＳＶ保存であれば、計算結果出力部１１は、計算結果データを指定された出力形式に変換し、外部記憶手段１２に出力する。
【００５３】
図６は、計算結果出力部１１におけるデータの流れを示す模式図である。また、図７は、計算結果出力部１１の処理の流れ図である。
【００５４】
計算結果出力部１１は、入出力処理部５から出力機器と出力形式を、炉心性能計算部４から計算結果データを受け取る（工程Ｓ２１）。その後、出力機器判定処理部３１において、出力機器が表示か印刷かＣＳＶ保存か判定する（工程Ｓ２２）。
【００５５】
出力機器が表示または印刷であれば、出力機器定処理部３１は、入出力処理部５に計算結果データを出力する（工程Ｓ２３）。入出力処理部５は、計算結果を表示手段７に表示、または、印字手段５に印字する。
【００５６】
出力機器がＣＳＶ保存であれば、出力機器定処理部３１は、出力形式変換処理部３２に計算結果データと出力形式を入力する。出力形式変換処理部３２は、指定された出力形式に対応する出力形式ＤＢ、たとえば、サマリ出力形式ＤＢ３３や詳細出力形式ＤＢ３４から出力形式を取り出す（工程Ｓ２４）。そして、取り出した出力形式に従いデータを変換し、形式変換した計算結果データを外部記憶手段１２に出力する（工程Ｓ２５）。
【００５７】
なお、炉心性能計算部４における計算結果などは独自のファイル形式にて保存されており、計算結果の外部出力は計算結果出力部１１を介してのみ行われる。そして、炉心性能計算部４から計算結果出力部１１が受け取った計算結果データは一時ファイルとなり、出力処理が完了した後は消去される。
【００５８】
本実施の形態によれば、炉心性能計算部４の計算結果データへのデータアクセスは、計算結果入出力部１１を介してのみ実施されるため、炉心運転管理データに対するセキュリティを確保することができる。また、このようにセキュリティを確保したまま、計算結果入出力部１１に出力形式を記憶しておくことで、ユーザが指定した出力形式で外部記憶手段１２にデータを保存することが可能となる。
【００５９】
このように本実施形態では、独自のファイル形式で保存されている炉心性能計算結果に基づく炉心運転管理のためのデータを、地方自治体や国、国際原子力機関（ＩＡＥＡ）などそれぞれの提出先に合わせた所定の形式で、容易に電子媒体および紙に出力することが可能となる。
【００６０】
これにより、ユーザが帳票印刷されたデータを手で書き写したり、事務所でパソコンに手入力したりする必要が無くなるので、データ加工作業の低減、またデータの写し間違いを防止することができる。
【００６１】
［実施形態３］
図８は、本発明に係る実施形態３の炉心監視装置の構成図である。
【００６２】
本実施形態は、実施形態１の炉心監視装置に、入力パラメータ外部入出力部１４を追加したものである。入力パラメータ外部入出力部１４は、入力パラメータを外部記憶手段１３に入出力する。また、入力パラメータ記憶部９は、入力パラメータを入力パラメータ外部入出力部１４から入出力できるようになっている。
【００６３】
ユーザは、入力手段６を使用して、入力パラメータ外部出力を要求する。入力パラメータ外部出力の要求は、たとえば表示手段７の対話画面上に表示されたボタンをクリックすることにより行う。この入力パラメータ外部出力要求により、入力パラメータが外部出力される。
【００６４】
入力パラメータ外部出力が要求されると、入出力処理部５は、その時点で表示手段７に表示されている入力パラメータ設定画面の機能種別と、入力パラメータを入力パラメータ記憶部９に伝達する。入力パラメータ記憶部９は、入力パラメータ外部入出力部１４に機能種別と入力パラメータを受け渡す。
【００６５】
入力パラメータ外部入出力部１４は、機能種別に従って入力パラメータの条件チェック、たとえば、上下限チェックや不足データの有無などのチェックを行い、チェックの結果が良好であれば外部記憶手段１３に入力パラメータを保存する。
【００６６】
なお、入力パラメータ外部入出力部１４に接続された外部記憶手段１３は、計算結果出力部１１に接続された外部記憶手段１２と兼用してもよい。
【００６７】
入力パラメータ外部入力を要求することにより、外部記憶手段１３に保存された入力パラメータが入力パラメータ記憶部９に伝達される。入力パラメータ外部入力の要求は、たとえば表示手段７の対話画面上に表示されたボタンをクリックすることにより行う。
【００６８】
入力パラメータ外部入力が要求されると、入出力処理部５はその時点で表示手段７に表示されている入力パラメータ設定画面の機能種別と入力パラメータ外部出力要求を入力パラメータ記憶部９に伝達する。入力パラメータ記憶部９は、入力された機能種別の入力パラメータを、入力パラメータ外部入出力部１４を介して、外部記憶手段１３から取り出す。このとき、入力パラメータ外部入出力部１４は、外部記憶手段１３から取り出した入力パラメータについて、機能種別に従って入力パラメータの条件チェック、たとえば、上下限チェックや不足データの有無などのチェックを行い、チェック結果が良好であれば入力パラメータ記憶部９にデータを渡す。
【００６９】
入力パラメータ記憶部９は、入力パラメータ外部入出力部１４から取り出した入力パラメータを入出力処理部５に伝達する。入出力処理部５は、入力パラメータ記憶部９から伝達された入力パラメータを表示手段７の入力パラメータ設定画面上に表示する。
【００７０】
図９は、本発明に係る実施形態３の入力パラメータ記憶部におけるデータの流れを示す模式図である。
【００７１】
入力パラメータ記憶部９は、要求判定処理部２１にて、入力パラメータ外部出力、または、入力パラメータ外部入力の判定を行う。
【００７２】
要求が入力パラメータ外部出力の場合には、入力パラメータ保存処理部２４により、入力パラメータ外部出力の要求が、機能種別と入力パラメータを付加した形で、入力パラメータ外部入出力部１４に送信される。
【００７３】
要求が入力パラメータ外部入力の場合には、入力パラメータ取出処理部２２により、入力パラメータ外部入力の要求が、機能種別を付加した形で、入力パラメータ外部入出力部１４に送信され、入力パラメータ外部入出力部１４から要求に従った入力パラメータの入力が行われる。
【００７４】
図１０は、本発明に係る実施形態３の入力パラメータ外部入出力部におけるデータの流れを示す模式図である。
【００７５】
入力パラメータ外部入出力部１４は、データ入出力処理部４１、データチェック処理部４２、入力パラメータ条件ＤＢ４３，４４から構成される。入力パラメータ条件ＤＢには、汎用予測用入力パラメータＤＢ４３と冷温予測用入力パラメータ条件ＤＢ４４がある。
【００７６】
データ入出力処理部４１は、入力パラメータ記憶部９からの入力パラメータ外部出力／入力の要求を受け取り、その要求に付加されている入力パラメータを外部記憶手段１３に対して、保存／取り出しを行う。データチェック処理部４２は、データ入出力処理部４１が外部記憶手段１３から入力パラメータの保存／取り出しを行う際に、入力パラメータ外部出力／入力の要求に付加されている機能種別、たとえば、汎用予測計算機能であれば汎用予測用入力パラメータ条件ＤＢ４３、冷温予測計算機能であれば冷温予測用入力パラメータ条件ＤＢ４４に従った入力パラメータの条件判定を行う。
【００７７】
本実施形態によれば、入力パラメータ記憶部９にて外部入出力の要求を判定し、その要求に機能種別と入力パラメータを付加して、入力パラメータ外部入出力部１４と取り合うことにより、外部記憶手段１３に対する入力パラメータの保存／取り出しができる。その際、入力パラメータ外部入出力部１４において、入力パラメータの条件判定を行うことにより、条件違反となる入力パラメータが入力されて炉心性能計算が実行できなくなる事を防止できる。
【００７８】
このように、入力パラメータの入力作業について炉心監視装置と同様な機能を有する別の計算機とのデータ連携を図ることができ、実際のプラント起動時に起動計画からのズレが生じた場合、炉心監視装置を使用して、燃料メーカーや炉心管理部門において事前に予測計算が行われたときと同じ、何十点にもおよぶ予測点の入力パラメータを容易に入力することができる。これにより、入力パラメータの手入力作業を必要としないため、入力パラメータの誤入力を防ぐことができる。
【００７９】
またその際、入力パラメータの条件判定を行い、炉心性能計算ができなくなる事を防止し、他の装置とのデータ連携の信頼性の向上を図ることができる。
【００８０】
［実施形態４］
図１１は、本発明に係る実施形態４の炉心監視装置の構成図である。
【００８１】
本実施形態は、実施形態１の炉心監視装置に、制御棒位置展開部１５を追加したものである。制御棒位置展開部１５は、入出力処理部５に接続されていて、入力パラメータのうち制御棒位置情報について、対称性の指定に基づき制御棒位置情報を展開する。また、制御棒位置展開部１５の追加に伴い、入出力処理部５は制御棒位置展開部１５との入力パラメータ情報の入出力が可能になっている。
【００８２】
図１２は、本発明に係る実施形態４パラメータ設定画面である。
【００８３】
ユーザは、表示手段７の入力パラメータ設定画面において、制御棒位置情報を見ながら、入力手段６を使用して制御棒の対称性を指定する。また、制御棒位置情報を入力する。制御棒位置展開部１５は、入出力処理部５を介して制御棒位置情報と対称性の指定を受け取り、制御棒位置展開部１５の中に記憶している炉心マップに従い、制御棒位置情報を展開して、制御棒位置の入力を支援する。
【００８４】
図１３は、本発明に係る実施形態４の制御棒位置展開部におけるデータの流れを示す模式図である。
【００８５】
ユーザが制御棒位置を入力するにあたり、入力パラメータ設定画面上の対称性の指定で１／４回転対称を指定した場合、その対称性の指定は、入出力処理部５から制御棒位置情報受信処理部５２を介して制御棒位置展開処理部５３に入力される。
【００８６】
制御棒位置展開処理部５３は、炉心マップ５１のうち、指定された対称性である１／４回転対称の「炉心マップ  １／４回転対称」のデータを取り込む。次に、ユーザが、入力パラメータ設定画面上の制御棒位置情報において、座標２２−４３に値を入力すると、その制御棒位置情報は、入出力処理部５から制御棒位置情報受信処理部５２を介して制御棒位置展開処理部５３に伝達される。
【００８７】
制御棒位置展開処理部５３は、「炉心マップ  １／４回転対称」のデータに従い、座標２２−４３の回転対称の位置にある座標４２−３１、３０−１１、１０−２３に対して、同じ値を設定する。指定された対称性に基づいて、自動的に設定された制御棒位置情報は、入力された制御棒位置情報と共に、制御棒位置情報送信処理部５４を介して入出力処理部５に伝達される。入力処理部５は、制御棒位置情報送信処理部５４から伝達された入力パラメータ設定画面用の制御棒位置情報を、表示手段７の入力パラメータ設定画面に反映する。
【００８８】
対称性の指定としては、１／４鏡面対称、１／８対称を準備しておいてもよい。また、対称性の指定として、グループ展開を導入してもよい。
【００８９】
対称性の指定がグループ展開の場合には、どの制御棒グループにどのような値を設定するかを指定することにより、炉心マップ５１のうち「炉心マップ  グループ展開」を使用して、制御棒位置情報を自動的に展開する。
【００９０】
本実施形態によれば、入力パラメータ設定画面上の対称性の指定に基づき、ユーザが入力した制御棒位置情報を制御棒位置展開部１５が展開し、入力パラメータ設定画面上の制御棒位置情報に自動的に反映し、制御棒位置の入力を支援することができる。
【００９１】
このように、１／４回転対称、１／４鏡面対称や１／８対称などの炉心対称性を指定することにより、同じ値とすべき複数の座標にある制御棒に対して同じ値を入力することができる。また、たとえば制御棒駆動に関するグループなどの、制御棒グループごとに同じ値を入力することができる。したがって、制御棒位置設定が効率化され、誤入力防止が図られる。
【００９２】
［実施形態５］
図１４は、本発明に係る実施形態５の炉心監視装置の構成図である。
【００９３】
本実施形態は、実施形態１の炉心監視装置に、入力パラメータ入力補助部１６を追加したものである。入力パラメータ入力補助部１６は、入出力処理部５に接続されていて、表示手段７に表示された入力パラメータ設定画面上の入力パラメータの意味や、入力可能範囲などを表示する。また、入力パラメータ入力補助部１６の追加に伴い、入出力処理部５は、入力パラメータ入力補助部１６との入力パラメータ情報の入出力が可能となっている。
【００９４】
図１５は、本発明に係る実施形態５のパラメータ設定画面である。
【００９５】
ユーザは、表示手段７の入力パラメータ設定画面を見ながら、入力手段６を使用して、炉心性能計算に必要な入力パラメータの設定を行う。この入力パラメータの設定において、入力パラメータの意味や入力可能な範囲などの設定する値についての情報を表示させたい場合には、入力パラメータの設定エリアを選択しておき、そのままの状態でヘルプを要求する。ヘルプの要求は、たとえば表示手段７に表示されたパラメータ設定画面上のボタンをクリックすることにより行う。
【００９６】
ヘルプが要求されると、入出力処理部５は、ヘルプ要求に入力パラメータ位置情報を付加して、入力パラメータ入力補助部１６に伝達する。入力パラメータ入力補助部１６は、入力パラメータ位置情報から、どの入力パラメータについて入力補助情報が要求されているかを判定し、その入力パラメータに対する入力補助情報を取り出し、入出力処理部５に送信する。入出力処理部５は、入力パラメータ入力補助部１６から受信した入力パラメータ入力補助情報を入力パラメータ設定画面上に表示する。
【００９７】
図１６は、本発明に係る実施形態５の入力パラメータ入力補助部におけるデータの流れを示す模式図である。
【００９８】
ユーザが入力パラメータの一つである炉心流量を入力する場合、入力パラメータ設定画面上の炉心流量の入力エリアを選択する。その炉心流量を選択した情報は、入出力処理部５から入力パラメータの位置情報として入力パラメータ位置取出処理部６３に入力される。
【００９９】
入力パラメータ位置取出処理部６３は、位置情報に基づき入力パラメータ位置情報ＤＢ６１から対応する入力パラメータの名称を取り出し、入力パラメータ入力補助情報取出処理部６４にその名称を入力する。入力パラメータ入力補助情報取出処理部６４は、入力された入力パラメータの名称に基づき入力パラメータ入力補助情報ＤＢ６２から対応する入力パラメータの入力補助情報を取り出す。たとえば入力パラメータの名称が炉心流量であれば、炉心流量の入力単位（ｔ／ｈ）、入力の上下限値などの情報が取り出される。
【０１００】
取り出された入力補助情報は、入力パラメータ入力補助情報送信処理部６５を介して入出力処理部５に送信され、入力処理部５は、入力パラメータ入力補助情報送信処理部６５から伝達された入力パラメータ設定画面用の入力パラメータ補助情報を表示手段７の入力パラメータ設定画面上に表示する。
【０１０１】
本実施形態によれば、表示手段７上に表示される入力パラメータ設定画面の入力パラメータについて、操作説明書等を見なくても、入力パラメータ入力補助部１６により、その画面上の入力パラメータの位置情報から、入力パラメータの名称を取り出し、入力パラメータの意味や入力可能範囲などを表示手段７の入力パラメータ設定画面上に表示することができ、入力パラメータ設定操作におけるユーザの入力を補助することができる。
【０１０２】
プラント起動解析で使用する汎用予測計算の入力パラメータとしては、リスタートファイルの指定、固有値の補正有無、ケース時刻、発電機出力、炉心流量など多数指定するものがあるが、操作説明書等を見なくても、入力するパラメータに関する情報（設定する内容や設定範囲など）を確認することができる。したがって、この炉心監視装置は、経験の浅い技術者にとっても使いやすく、操作性が高い。
【０１０３】
［実施形態６］
図１７は、本発明に係る実施形態６の炉心監視装置の構成図である。
【０１０４】
本実施形態は、実施形態１の炉心監視装置に、データ出力補助部１７を追加したものである。データ出力補助部１７は、入出力処理部５に接続されていて、入出力処理部５を介して機能一覧や機能説明などを表示手段７へ表示する。また、データ名が入力されたときには、そのデータを表示する機能名称を表示する。データ出力補助部１７の追加に伴い、入出力処理部５は、データ出力補助部１７により表示された機能名称から、その機能の入力パラメータ設定画面を表示することができるようになっている。
【０１０５】
ユーザは、出力したいデータの名称はわかっているが、どのような機能でそのデータを出力するかわからない場合、入力手段６を使用して、データ出力ヘルプを要求する。データ出力ヘルプの要求は、たとえば表示手段７の対話画面上に表示されたボタンをクリックすることにより行う。このデータ出力ヘルプ要求により、表示手段７上に、機能一覧が表示されるとともに、出力データをキーワード検索できるデータ出力補助画面が表示される。
【０１０６】
図１８は、本発明に係る実施形態６のデータ出力補助画面である。
【０１０７】
表示手段７に表示されたデータ出力補助画面において、出力データ名称を入力すると、その名称がデータ出力補助部１７に伝達され、そのデータを出力する機能が検索される。データ出力補助部１７で検索された機能名称は、入出力処理部５に送信され、入出力処理部５は、受信した機能名称をデータ出力補助画面上に表示する。データ出力補助画面上の機能一覧からは、その機能名称を選択することにより、対応する入力パラメータ設定画面が表示される。
【０１０８】
図１９は、本発明に係る実施形態６のデータ出力補助部におけるデータの流れを示す模式図である。
【０１０９】
ユーザが、たとえば出力データの一つである最小限界出力比（ＭＣＰＲ）を表示したい場合には、データ出力補助画面上のキーワード検索エリアにＭＣＰＲと入力する。そのキーワード検索エリアに入力されたＭＣＰＲという出力データの名称は、入出力処理部５からデータ出力補助部１７のデータ出力情報取出処理部７２に伝達される。
【０１１０】
データ出力情報取出処理部７２は、伝達されたデータ名称に基づきデータ出力補助情報ＤＢ７１から、そのデータを表示する機能名称を取り出す。取り出された機能名称は、データ出力補助情報送信処理部７３を介して入出力処理部５に送信される。
【０１１１】
入出力処理部５は、データ出力補助情報送信処理部７３から伝達されたデータ出力補助画面用のデータ出力補助情報、すなわち、キーワード検索で入力されたデータ名称に関係する機能名称を、表示手段７のデータ出力補助画面上に表示する。そして、データ出力補助画面に表示されている機能一覧から、要求する機能を選択した場合、要求機能の入力パラメータを入力する対話画面が起動される。
【０１１２】
本実施形態によれば、表示手段７上に表示されるデータ出力補助画面のキーワード検索により、データ出力する機能について操作説明書等を見て検索しなくても、表示手段７のデータ出力補助画面上に、入力されたデータ名称に関係する機能名称を表示できる。また、データ出力補助画面上の機能名称を選択することにより、その機能の入力パラメータ設定画面を表示させ、炉心性能計算の要求を行うことができる。
【０１１３】
このように、炉心運転管理のためのデータを画面や帳票に出力する場合に、データ出力補助画面上に機能一覧や機能説明を表示することができる。また、データ名を入力するとそのデータを表示する機能名称を表示し、表示された機能名称から対応する対話画面を表示することが出来る。
【０１１４】
このため、データ名しかわからず出力する機能名称がわからないときであっても、操作説明書等で操作方法の記述を探したり、炉心監視装置の操作に熟練した技術者に機能名称を確認するなどの手間が不要になる。したがって、この炉心監視装置は、経験の浅い技術者にとっても使いやすい。また、データ出力の効率や操作性が向上する。
【０１１５】
なお、本発明は、上述の各実施形態に限定されず、様々な形態で実施することができる。
【図面の簡単な説明】
【０１１６】
【図１】本発明に係る実施形態１の炉心監視装置の構成図。
【図２】本発明に係る実施形態１の入力パラメータ記憶部におけるデータの流れを示す模式図。
【図３】本発明に係る実施形態１の入力パラメータ記憶部の処理の流れ図。
【図４】本発明に係る実施形態１の表示手段におけるパラメータ入力時の表示例。
【図５】本発明に係る実施形態２の炉心監視装置の構成図。
【図６】本発明に係る実施形態２の計算結果出力部におけるデータの流れを示す模式図。
【図７】本発明に係る実施形態２の計算結果出力部の処理の流れ図。
【図８】本発明に係る実施形態３の炉心監視装置の構成図。
【図９】本発明に係る実施形態３の入力パラメータ記憶部におけるデータの流れを示す模式図。
【図１０】本発明に係る実施形態３の入力パラメータ外部入出力部におけるデータの流れを示す模式図。
【図１１】本発明に係る実施形態４の炉心監視装置の構成図。
【図１２】本発明に係る実施形態４のパラメータ設定画面。
【図１３】本発明に係る実施形態４の制御棒位置展開部におけるデータの流れを示す模式図。
【図１４】本発明に係る実施形態５の炉心監視装置の構成図。
【図１５】本発明に係る実施形態５のパラメータ設定画面。
【図１６】本発明に係る実施形態５の入力パラメータ入力補助部におけるデータの流れを示す模式図。
【図１７】本発明に係る実施形態６の炉心監視装置の構成図。
【図１８】本発明に係る実施形態６のデータ出力補助画面。
【図１９】本発明に係る実施形態６のデータ出力補助部におけるデータの流れを示す模式図。
【符号の説明】
【０１１７】
１…プロセス計算機、２…情報バス、３…ヒートバランスデータ入力部、４…炉心性能計算部、５…入出力処理部、６…入力手段、７…表示手段、８…印字手段、９…入力パラメータ記憶部、１０…炉心監視装置、１１…計算結果出力部、１２…（第１の）外部記憶手段、１３…（第２の）外部記憶手段、１４…入力パラメータ外部入出力部、１５…制御棒位置展開部、１６…入力パラメータ入力補助部、１７…データ出力補助部、２１…要求判定処理部、２２…入力パラメータ取出処理部、２３…入力パラメータ保存処理部、２４…冷温予測用入力パラメータ記憶ＤＢ、２５…汎用予測用入力パラメータ記憶ＤＢ、３１…出力機器判定処理部、３２…出力形式変換処理部、３３…サマリ出力形式ＤＢ、３４…詳細出力形式ＤＢ、４１…データ入出力処理部、４２…データチェック処理部、４３…汎用予測用入力パラメータ条件ＤＢ、４４…冷温予測用入力パラメータ条件ＤＢ、５１…炉心マップ、５２…制御棒位置情報受信処理部、５３…制御棒位置展開処理部、５４…制御棒位置情報送信処理部、６１…入力パラメータ位置情報ＤＢ、６２…入力パラメータ入力補助情報ＤＢ、６３…入力パラメータ位置取出処理部、６４…入力パラメータ入力補助情報取出処理部、６５…入力パラメータ入力補助情報送信処理部、７１…データ出力補助情報ＤＢ、７２…データ出力補助情報取出処理部、７３…データ出力補助情報送信処理部
【図１】
2008026151.tif 000003
【図２】
2008026151.tif 000004
【図３】
2008026151.tif 000005
【図４】
2008026151.tif 000006
【図５】
2008026151.tif 000007
【図６】
2008026151.tif 000008
【図７】
2008026151.tif 000009
【図８】
2008026151.tif 000010
【図９】
2008026151.tif 000011
【図１０】
2008026151.tif 000012
【図１１】
2008026151.tif 000013
【図１２】
2008026151.tif 000014
【図１３】
2008026151.tif 000015
【図１４】
2008026151.tif 000016
【図１５】
2008026151.tif 000017
【図１６】
2008026151.tif 000018
【図１７】
2008026151.tif 000019
【図１８】
2008026151.tif 000020
【図１９】
2008026151.tif 000021